(57)【要約】【解決手段】単一周波数ネットワークにおけるマルチメディアブロードキャスト／マルチキャストサービスの伝送方法、システム及び基地局を公開した。前記方法において、無線ネットワークコントローラは、ブロードキャスト／マルチキャストサービスデータをターゲットセル又はセクタの基地局に送信し、前記セル又はセクタに対して、ブロードキャスト／マルチキャストサービスデータを伝送するための、同一の時間周波数リソース、スクランブルコードとミッドアンブルコードを割り当て、割り当てたリソース情報とコードグループ情報を、ターゲットセル又はセクタの基地局と端末に送信する。前記基地局は、送信待ちのブロードキャスト／マルチキャストサービスバースト信号に対して、ランダム位相回転処理を行い、無線ネットワークコントローラより割り当てられた時間周波数リソースを利用して、処理で得られた信号を端末に送信する。前記システムは、無線ネットワークコントローラと基地局と端末を含み、前記基地局は、位相処理モジュールと信号送信モジュールとを含む。本発明によれば、単一周波数ネットワークで、マルチメディアブロードキャスト／マルチキャストサービスを伝送する時に、ひどい信号減衰が発生するという従来の問題点を解決できる。【選択図】図３
2010521900.tif 000002
【特許請求の範囲】
【請求項１】
無線ネットワークコントローラは、ブロードキャスト／マルチキャストサービスデータをターゲットセル又はセクタの基地局に送信し、前記セル又はセクタに対して、ブロードキャスト／マルチキャストサービスデータを伝送するための、同一の時間周波数リソース、スクランブルコードとミッドアンブルコードを割り当て、割り当てたリソース情報とコードグループ情報を、ターゲットセル又はセクタの基地局と端末に送信するステップＡと、
前記基地局は、送信待ちのブロードキャスト／マルチキャストサービスバースト信号に対して、ランダム位相回転処理を行い、無線ネットワークコントローラより割り当てられた時間周波数リソースを利用して、処理で得られた信号を端末に送信するステップＢと、
を含むことを特徴とする単一周波数ネットワークにおけるマルチメディアブロードキャスト／マルチキャストサービスの伝送方法。
【請求項２】
前記ステップＢの後は更に、
前記端末は、前記時間周波数リソースで、異なる基地局からのブロードキャスト／マルチキャストサービスバースト信号を受信し、前記割り当てられたスクランブルコードとミッドアンブルコードを利用して、受信信号に対して、チャネル推定、逆拡散及びデスクランブル処理を行い、ブロードキャスト／マルチキャストサービスデータを取得するステップ
を含むことを特徴とする請求項１に記載の単一周波数ネットワークにおけるマルチメディアブロードキャスト／マルチキャストサービスの伝送方法。
【請求項３】
前記ステップＡと前記ステップＢの間は更に、
前記基地局は、前記割り当てられたスクランブルコードを利用して、無線ネットワークコントローラから送信されたブロードキャスト／マルチキャストサービスデータに対して、スペクトラム拡散とスクランブル処理を行い、処理された後のデータと前記割り当てられたミッドアンブルコードを利用して、ブロードキャスト／マルチキャストサービスバースト信号を構成するステップ
を含むことを特徴とする請求項１又は請求項２に記載の単一周波数ネットワークにおけるマルチメディアブロードキャスト／マルチキャストサービスの伝送方法。
【請求項４】
ベースバンド形式、中波形式又はラジオ周波形式のブロードキャスト／マルチキャストサービスバースト複合信号に、
ｃｏｓ（θ）＋ｊ＊ｓｉｎ（θ）
複合信号を乗算することで、ブロードキャスト／マルチキャストサービスバースト信号に対するランダム位相回転処理を実現し、その中で、θは位相回転因子であり、０〜２πの間で均等に分布している乱数又は擬似乱数であることを
特徴とする請求項１に記載の単一周波数ネットワークにおけるマルチメディアブロードキャスト／マルチキャストサービスの伝送方法。
【請求項５】
前記ランダム位相の変化周期は、１つ又は複数のサブフレーム、或いは、１つ又は複数のタイムスロットであることを特徴とする請求項４に記載の単一周波数ネットワークにおけるマルチメディアブロードキャスト／マルチキャストサービスの伝送方法。
【請求項６】
前記同じ端末をサービングする複数のセル又はセクタに採用されるそれぞれの位相回転因子シーケンスは、互いに関連性を持たないことを特徴とする請求項４に記載の単一周波数ネットワークにおけるマルチメディアブロードキャスト／マルチキャストサービスの伝送方法。
【請求項７】
ブロードキャスト／マルチキャストサービスデータをターゲットセル又はセクタの基地局に送信し、前記セル又はセクタに対して、ブロードキャスト／マルチキャストサービスデータを伝送するための、同一の時間周波数リソース、スクランブルコードとミッドアンブルコードを割り当て、割り当てたリソース情報とコードグループ情報を基地局と端末に送信する無線ネットワークコントローラと、
送信待ちのブロードキャスト／マルチキャストサービスバースト信号に対して、ランダム位相回転処理を行い、無線ネットワークコントローラより割り当てられた時間周波数リソースを利用して、処理で得られた信号を端末に送信する基地局と、
を含むことを特徴とする単一周波数ネットワークにおけるマルチメディアブロードキャスト／マルチキャストサービスの伝送システム。
【請求項８】
更に、前記時間周波数リソースで、異なる基地局から送信されたブロードキャスト／マルチキャストサービスバースト信号を受信し、前記割り当てられたスクランブルコードとミッドアンブルコードを利用して、受信信号に対して、チャネル推定、逆拡散及びデスクランブル処理を行い、ブロードキャスト／マルチキャストサービスデータを取得する端末を含むことを特徴とする請求項7に記載の前記単一周波数ネットワークにおけるマルチメディアブロードキャスト／マルチキャストサービスの伝送システム。
【請求項９】
送信待ちのブロードキャスト／マルチキャストサービスバースト信号に対して、ランダム位相回転処理を行う位相処理モジュールと、
無線ネットワークコントローラより割り当てられた時間周波数リソースを利用して、処理で得られた信号を端末に送信する信号送信モジュールと、
を含むことを特徴とする基地局。
【請求項１０】
更に、前記割り当てられたスクランブルコードを利用して、無線ネットワークコントローラから送信されたブロードキャスト／マルチキャストサービスデータに対して、スペクトラム拡散とスクランブル処理を行い、処理された後のデータと前記割り当てられたミッドアンブルコードを利用して、ブロードキャスト／マルチキャストサービスバースト信号を構成するバースト形成モジュールを含むことを特徴とする請求項９に記載の基地局。
【発明の詳細な説明】
【技術分野】
【０００１】
本発明は移動通信技術領域に係り、特にブロードキャスト／マルチキャストサービスを送信する方法、システム及び基地局に関する。
【背景技術】
【０００２】
移動通信とインターネットの急激な発展に伴い、数多くのマルチメディアサービスが生み出され、ビデオ・オン・デマンド・テレビ放送・ビデオ会議・オンライン教育、インタラクティブゲームのような、同じデータを同時刻に多数のユーザーに受信させる移動マルチメディアサービスも出現している。このようなサービスは、一般のデータサービスと比較して、大容量のデータと長時間の継続通信等の特性を持つ。移動通信ネットワークリソースを効率的に利用するため、グローバル標準化団体３ＧＰＰは、ＭＢＭＳ（Ｍｕｌｔｉｍｅｄｉａ  Ｂｒｏａｄｃａｓｔ  ／  Ｍｕｌｔｉｃａｓｔ  Ｓｅｒｖｉｃｅ）の略称で、マルチメディアブロードキャスト／マルチキャストサービスを提案した。ＭＢＭＳとは、１つのデータソースからデータを複数のユーザーに一斉に送信する一対多のデータサービスであり、移動コアネットワークとアクセスネットワークを含むネットワークリソースの共有、特に無線インタフェース（Ａｉｒ  Ｉｎｔｅｒｆａｃｅ）リソースの共有を実現できる。ＭＢＭＳは、従来の移動ネットワークにおけるＣＢＳ（Ｃｅｌｌ  Ｂｒｏａｄｃａｓｔ  Ｓｅｒｖｉｃｅの略称で、セル・ブロードキャスト・サービス）とは同じではない。ＣＢＳは、低ビットレートのデータを、セル共有ブロードキャストチャネルを経由させ、全てのユーザーに一斉に送信でき、メッセージに基づくサービスである。３ＧＰＰで定義されたＭＢＭＳは、低速度且つテキストオンリー形式のメッセージデータ類のブロードキャスト・マルチキャストだけではなく、高速化通信が必要とするマルチメディア・データのブロードキャストサービス／マルチキャストサービス（例えば、モバイルテレビ放送）にも対応できる技術である。
【発明の概要】
【発明が解決しようとする課題】
【０００３】
しかし、従来のＲｅｌ６に定義されたシステムにおいて、ＭＢＭＳの周波数スペクトルの利用効率はやや低くて、通常は０．２〜０．０２ｂｉｔ／Ｈｚ／ｓしかない。そのため、３ＧＰＰは、ＬＴＥ（Ｌｏｎｇ  Ｔｅｒｍ  Ｅｖｏｌｕｔｉｏｎの略称で、以下はＬＴＥという）プロジェクトで、Ｅ−ＭＢＭＳ（Ｅｎｈａｎｃｅｄ  Ｍｕｌｔｉｍｅｄｉａ  Ｂｒｏａｄｃａｓｔ  ／  Ｍｕｌｔｉｃａｓｔ  Ｓｅｒｖｉｃｅの略称で、改善したマルチメディアブロードキャスト／マルチキャストサービス）の研究に着手し始め、又、Ｅ−ＭＢＭＳに従来の工業地上波放送標準（ＤＶＢ−ＨやＭｅｄｉａＦＬＯ等）に含まれたＳＦＮ（Ｓｉｎｇｌｅ  Ｆｒｅｑｕｅｎｃｙ  Ｎｅｔｗｏｒｋの略称で、単一周波数ネットワーク）技術も導入した。即ち、ＳＦＮネットワークに含まれた全てのセル又はセクタは、同一の物理リソース（時間・周波数・チャネル・スクランブルコードとミッドアンブル（ｍｉｄａｍｂｌｅ）コード）を利用し、全く同じＭＢＭＳを同時刻に送信する。そうすると、ユーザーはセル又はセクタの境界地帯に位置していても、異なるセル又はセクタからの有効信号を受信でき、端末装置は、受信された全ての有効信号を無線インタフェース(Ａｉｒ  Ｉｎｔｅｒｆａｃｅ)で直接エネルギーコンバインできる。そのため、ＳＦＮ領域範囲でのＭＢＭＳ全体のＱｏＳ（Ｑｕａｌｉｔｙ  ｏｆ  Ｓｅｒｖｉｃｅ，サービス品質）を向上できる。
【０００４】
図１はＳＦＮのネットワーク構成を示すブロック図の一例である。次は、図１のＳＦＮネットワーク構成（それぞれのセルは、同一基地局アドレスを共有している３セクタからなる）を例として、従来の３ＧＰＰのＥ−ＭＢＭＳにおけるＳＦＮ技術の実現方式を説明する。
【０００５】
図１に示すＳＦＮ内の全てのセクタに対して、ブロードキャスト／マルチキャストサービスの伝送に利用される、全く同じ時間リソース・周波数リソース及びスクランブルコードとミッドアンブル（ｍｉｄａｍｂｌｅ）コードを一括で割り当てる。ＳＦＮ内の全てのＵＥ（Ｕｓｅｒ  Ｅｑｕｉｐｍｅｎｔ，ユーザー設備）も同様に前記時間リソース・周波数リソース及びスクランブルコードとミッドアンブル（ｍｉｄａｍｂｌｅ）コードを利用して、当該ブロードキャスト／マルチキャストサービスを受信する。即ち、ＳＦＮ内のセクタからの信号が、ＵＥのマルチパス受信機のウインドウに納めたものさえであれば、ＵＥは、受信ウインドウに納めた全ての信号に対して、直接エネルギーコンバインを行うことができる。そのため、ブロードキャスト／マルチキャストサービスの受信性能は大幅に改善された。
【０００６】
次に、例を挙げて、ＳＦＮにおいてマルチメディアブロードキャスト／マルチキャストサービスを伝送する１種の従来技術の実現過程を説明する。
【０００７】
複数のセル又はセクタで、ブロードキャスト／マルチキャストサービスを伝送する時に、ＲＮＣ（Ｒａｄｉｏ  Ｎｅｔｗｏｒｋ  Ｃｏｎｔｒｏｌｌｅｒ，無線ネットワークコントローラ）は複数のセル又はセクタに対して、ブロードキャスト／マルチキャストサービスリソースを一括で割り当て、当該ブロードキャスト／マルチキャストサービスに利用されるスクランブルコードとミッドアンブル（ｍｉｄａｍｂｌｅ)コード（従来のスクランブルコードとミッドアンブル（ｍｉｄａｍｂｌｅ)コードとは違ったもの）を指定し、シグナリングにより各ＮｏｄｅＢとＵＥに通知する。各セル又はセクタのＮｏｄｅＢは、それらの特定コードにより、ブロードキャスト／マルチキャストサービスバーストを形成すると同時に、同じ時間周波数リソースで伝送する。ＵＥは、対応するリソース位置で、複数のセル又はセクタから同時刻に伝送された同じバーストを受信してから、指定されたミッドアンブル（ｍｉｄａｍｂｌｅ)コードで、チャネル推定を行い、指定されたスクランブルコードで、データをデスクランブルし、受信したいブロードキャスト／マルチキャストサービスデータを取得する。
【０００８】
主に、次のステップを有することを特徴とする。
【０００９】
ステップ１、ネットワーク側は１つのブロードキャスト／マルチキャストサービスを開始し、シグナリングによりＲＮＣに通知し、ＲＮＣは、当該ブロードキャスト／マルチキャストサービスがどのセル又はセクタで伝送されるかを判断する。
【００１０】
ステップ２、ＲＮＣはそれらのセル又はセクタに対して、ブロードキャスト／マルチキャストサービスリソースを一括で割り当て、マクロダイバーシティを容易に実施するため、同様な時間周波数リソース（同様な周波数点、タイムスロットとチャネル）を割り当て、当該ブロードキャスト／マルチキャストサービスに利用されるスクランブルコードとｍｉｄａｍｂｌｅコードを指定することができる。
【００１１】
ここで指定されたスクランブルコード及びｍｉｄａｍｂｌｅコードは、従来の非ブロードキャストサービスのためのコードとは同じものではない。
【００１２】
予めブロードキャスト／マルチキャストサービスのために、従来のスクランブルコードとｍｉｄａｍｂｌｅコードと良い関連性を持ち、且つブロードキャスト／マルチキャストサービスに専用するスクランブルコードとｍｉｄａｍｂｌｅコードグループを設置し、１つのテーブルにまとめてから、ＲＮＣとＵＥとＮｏｄｅＢに格納しておくことができる。ＲＮＣは、あるブロードキャスト／マルチキャストサービスのために、リソースを割り当てる時、そのテーブルから１グループのスクランブルコード・ｍｉｄａｍｂｌｅコードを選択し、対応するコードグループ標識をＮｏｄｅＢとＵＥに通知することで、シグナリングの通信負荷を軽減できるようにする。
【００１３】
ステップ３、ＮｏｄｅＢは当該ブロードキャスト／マルチキャストサービスを伝送する時に、指定されたスクランブルコード、ｍｉｄａｍｂｌｅコードと対応するデータを利用して、ブロードキャストサービスバーストを形成し、ＲＮＣから割り当てられたリソースで伝送する。
【００１４】
ステップ４、ＵＥはＲＮＣから送信されたリソース割当情報により、対応するリソースで、ブロードキャスト／マルチキャストサービスの信号を受信する。複数のセル又はセクタからの信号が受信されるため、受信された全ての有効信号に対して、無線インタフェース(Ａｉｒ  Ｉｎｔｅｒｆａｃｅ)で直接的に重畳を行い、指定されたｍｉｄａｍｂｌｅコードによりコードチャネル推定を行い、複数のセル又はセクタからＵＥまでの全部チャネル推定結果を取得し、そして、当該チャネル推定結果により受信データを逆拡散し、指定されたスクランブルコードで逆拡散後のデータをデスクランブルすることで、受信したいブロードキャスト／マルチキャストサービスデータを取得する。
【００１５】
上記ステップから分かるが、ＲＮＣはリソースを割り当てる時に、ブロードキャスト／マルチキャストサービスバーストに利用されるスクランブルコードとｍｉｄａｍｂｌｅコードさえ指定し、それをＮｏｄｅＢとＵＥに通知すれば、ＮｏｄｅＢとＵＥは、指定されたスクランブルコードとｍｉｄａｍｂｌｅコードにより、ブロードキャスト／マルチキャストサービスデータを送受信できるため、簡単なマルチメディアブロードキャスト／マルチキャストサービス伝送を実現でき、ＵＥのブロードキャスト／マルチキャストサービス受信信号の品質を向上させ、ブロードキャスト／マルチキャストサービスのカバレッジ範囲を拡大できる。また、ブロードキャスト／マルチキャストサービスは、通常、半径の小さいホットセル（ｈｏｔ  ｃｅｌｌ）又はセクタで伝送されるため、ＵＥが異なるセル又はセクタから伝送された複数チャネルの信号を受信する各受信時刻に、大きな時間差がないため、ＵＥの物理層処理能力に対する要求も高くない。
【００１６】
上記に述べた従来の技術は、伝統的なＭＢＭＳ伝送技術を大幅に改善した。ところで、複数のセル又はセクタから受信された信号の重畳により発生されたひどい信号減衰、即ち、２つのセル又はセクタから送信された同じ信号が、同時刻に端末受信機に到着し、且つ位相が正反対であった場合は、受信信号に、ひどい品質劣化が発生するという問題点は、まだ残っている。当現象は、静止環境、低速環境及び同じ基地局アドレスを共有している２つの隣接セクタの隣接境界に一層著しくなる。
【課題を解決するための手段】
【００１７】
本発明は上記課題に鑑みて発明されたものであって、その目的は単一周波数ネットワークにおけるマルチメディアブロードキャスト／マルチキャストサービスを伝送する方法、システム及び基地局を提供し、従来の静止環境、低速環境と同一基地局アドレスを共有する隣接セクタの境界地帯に多発している受信信号のひどい減衰という現象を解消することにある。
【００１８】
次に、実施例により本発明の技術案を詳しく説明する。
【００１９】
無線ネットワークコントローラは、ブロードキャスト／マルチキャストサービスデータをターゲットセル又はセクタの基地局に送信し、前記セル又はセクタに対して、前記ブロードキャスト／マルチキャストサービスデータの伝送に利用される、同一の時間周波数リソース・スクランブルコードとミッドアンブルコードを割り当て、割り当てたリソース情報とコードグループ情報をターゲットセル又はセクタの基地局と端末に送信するステップＡと、
前記基地局は、送信待ちのブロードキャスト／マルチキャストサービスバースト信号に対して、ランダム位相回転処理を行い、無線ネットワークコントローラより割り当てられた時間周波数リソースを利用して、処理で得られた信号を端末に送信するステップＢと
を含むことを特徴とする単一周波数ネットワークにおけるマルチメディア・ブロードキャスト／マルチキャストサービスの伝送方法である。
【００２０】
好ましくは、前記ステップＢの後は更に、
前記端末は、前記時間周波数リソースで、異なる基地局からのブロードキャスト／マルチキャストサービス・バースト信号を受信し、前記割り当てられたスクランブルコードとミッドアンブルコードにより、受信信号に対して、チャネル推定、逆拡散及びデスクランブル処理を行い、ブロードキャスト／マルチキャストサービスデータを取得するステップを含む。
【００２１】
好ましくは、前記ステップＡとステップＢの間は更に、
前記基地局は、前記割り当てられたスクランブルコードを利用して、無線ネットワークコントローラから送信されたブロードキャスト／マルチキャストサービスデータに対して、スペクトラム拡散とスクランブル処理を行い、処理後のデータと前記割り当てられたミッドアンブルコードを利用して、ブロードキャスト／マルチキャストサービスバースト信号を構成するステップを含む。
【００２２】
好ましくは、ベースバンド形式、中波形式又はラジオ周波形式のブロードキャスト／マルチキャストサービスバースト複合信号に、
ｃｏｓ（θ）＋ｊ＊ｓｉｎ（θ）
複合信号を乗算することにより、ブロードキャスト／マルチキャストサービスバースト信号に対するランダム位相回転処理を実現し、その中で、θは位相回転因子であり、０〜２πの間で均等に分布されている乱数または擬似乱数であることを含む。
【００２３】
好ましくは，前記ランダム位相の変化周期は、１つ又は複数のサブフレーム、或いは１つ又は複数のタイムスロットであることを含む。
【００２４】
好ましくは，前記同じ端末をサービングする複数のセル又はセクタで、採用されるそれぞれの位相回転因子シーケンスは、互いに関連性を持っていないことを含む。
【００２５】
ブロードキャスト／マルチキャストサービスデータをターゲットセル又はセクタの基地局に送信し、前記セル又はセクタに対して、ブロードキャスト／マルチキャストサービスデータ伝送に利用される、同一の時間周波数リソース、スクランブルコードとミッドアンブルコードを割り当て、割り当てたリソース情報とコードグループ情報を基地局と端末に送信する無線ネットワークコントローラと、
送信待ちのブロードキャスト／マルチキャストサービスバースト信号に対して、ランダム位相回転処理を行い、無線ネットワークコントローラより割り当てられた時間周波数リソースを利用して、処理で得られた信号を端末に送信する基地局と
を含む単一周波数ネットワークにおけるマルチメディアブロードキャスト／マルチキャストサービスの伝送システムである。
【００２６】
好ましくは更に、
前記時間周波数リソースで、異なる基地局からのブロードキャスト／マルチキャストサービスバースト信号を受信し、前記割り当てられたスクランブルコードとミッドアンブルコードにより、受信信号に対して、チャネル推定、逆拡散及びデスクランブル処理を行い、ブロードキャスト／マルチキャストサービスデータを取得する端末を含む。
【００２７】
送信待ちのブロードキャスト／マルチキャストサービスバースト信号に対して、ランダム位相回転処理を行う位相処理モジュールと、
無線ネットワークコントローラより割り当てられた時間周波数リソースを利用して、処理で得られた信号を端末に送信する信号送信モジュールと、
を含む基地局である。
【００２８】
好ましくは更に、
前記割り当てられたスクランブルコードを利用して、無線ネットワークコントローラから送信されたブロードキャスト／マルチキャストサービスデータに対して、スペクトラム拡散とスクランブル処理を行い、処理された後のデータと前記割り当てられたミッドアンブルコードを利用して、ブロードキャスト／マルチキャストサービスバースト信号を構成するバースト形成モジュールを含む基地局である。
【００２９】
本発明は次の効果を奏する。
本発明の実施例における技術案では、単一周波数ネットワークにおける異なるセル又はセクタの基地局は、端末に送信するブロードキャスト／マルチキャストサービスバースト信号に対してランダム位相回転を行い、バースト信号の波形を変更することにより、単一周波数ネットワークにおけるマルチメディアブロードキャスト／マルチキャストサービスを伝送する時に、静止環境、低速環境及び同一基地局アドレスを共有している隣接セクタの境界地帯で、２つの基地局から送信された反対位相の２信号が同時刻に端末に到着する場合に、ひどい信号減衰が発生するという従来の問題点を解消できる。又、それらの環境でのブロードキャスト／マルチキャストサービスの伝送性能を大幅に向上させ、端末のそれらの環境での受信機機能も改善できる。本発明の実施例に記述された技術案は、実施が容易で、ハードウェアコストを別途追加する必要がない。
【図面の簡単な説明】
【００３０】
【図１】従来の技術におけるＳＦＮのネットワーク構成の一例を示すブロック図である。
【図２】本発明の実施例において、単一周波数ネットワークにおけるマルチメディアブロードキャスト／マルチキャストサービスの伝送方法のフロー図である。
【図３】本発明の実施例において、単一周波数ネットワークにおけるマルチメディアブロードキャスト／マルチキャストサービスのシステム構成ブロック図である。
【図４】本発明の実施例における基地局の構成ブロック図である。
【発明を実施するための形態】
【００３１】
本発明の実施例の主な技術思想は、単一周波数ネットワークにおける異なるセル又はセクタの基地局が、端末に送信するブロードキャスト／マルチキャストサービスバースト信号に対して、ランダム位相回転を行い、バースト信号の波形を変更することで、単一周波数ネットワークにおけるマルチメディアブロードキャスト／マルチキャストサービスを伝送する時に、静止環境、低速環境及び同一基地局アドレスを共有している隣接セクタの境界地帯で、基地局から送信された反対位相の２信号が同時刻に端末に到着する場合に、ひどい信号減衰現象が発生するという従来技術の問題点を解決する。
【００３２】
次は、図面により、本発明の実施例の実現過程を詳細に説明する。
【００３３】
図２は、本発明の実施例における単一周波数ネットワークで、マルチメディアブロードキャスト／マルチキャストサービスを伝送する方法のフロー図である。主に、
【００３４】
ネットワーク側は、１つのブロードキャスト／マルチキャストサービスを開始し、当該ブロードキャスト／マルチキャストサービスデータをＲＮＣに送信し、ＲＮＣは、当該ブロードキャスト／マルチキャストサービスデータのターゲットセル又はセクタ、即ち、当該ブロードキャスト／マルチキャストサービスデータがどのセル又はセクタで伝送されるかを確定するステップ２０と、
【００３５】
ＲＮＣは、ブロードキャスト／マルチキャストサービスのターゲットセル又はセクタに対して、同じ時間周波数リソース、スクランブルコードとミッドアンブル（ｍｉｄａｍｂｌｅ)コードを割り当て、割り当てた時間周波数リソース情報及びコードグループ情報をターゲットセル又はセクタのＮｏｄｅＢとＵＥに送信すると共に、ブロードキャスト／マルチキャストサービスデータをターゲットセル又はセクタのＮｏｄｅＢに送信するステップ２１と、
ＲＮＣがブロードキャスト／マルチキャストサービスのために割り当てたスクランブルコードとミッドアンブル（ｍｉｄａｍｂｌｅ)コードは、非ブロードキャスト／マルチキャストサービスのために割り当てたものとは同じではない。
シグナリング負荷を減少するため、ＲＮＣは、予めブロードキャスト／マルチキャストサービスのために、従来のスクランブルコードとミッドアンブル（ｍｉｄａｍｂｌｅ)コードと良い関連性を持つコードグループを設置し、ブロードキャスト／マルチキャストサービス専用のものとして、１つのブロードキャスト／マルチキャストサービスコードグループテーブルを形成し、ＲＮＣとＵＥとＮｏｄｅＢに格納しておくことができる。ＲＮＣは、あるブロードキャストサービスのためにリソースを割り当てる時、当該コードテーブルから１グループのスクランブルコード・ミッドアンブル（ｍｉｄａｍｂｌｅ)コードを選択し、対応するグループ番号をＮｏｄｅＢとＵＥに通知することにより、シグナリングの通信負荷を軽減できる。
【００３６】
ＮｏｄｅＢは、前記割り当てられたスクランブルコードを利用して、ＲＮＣから送信されたブロードキャスト／マルチキャストサービスデータに対して、スペクトラム拡散とスクランブル処理を行い、処理された後のデータと前記割り当てられたミッドアンブル（ｍｉｄａｍｂｌｅ)コードを利用して、ブロードキャスト／マルチキャストサービスバースト信号を構成するステップ２２と、
【００３７】
ＮｏｄｅＢは、送信待ちのブロードキャスト／マルチキャストサービスバースト信号に対して、ランダム位相回転処理を行い、ＲＮＣから割り当てられた時間周波数リソースを利用して、処理で得られた信号を端末に送信するステップ２３と、
【００３８】
前記ステップ２３において、
ＮｏｄｅＢが送信待ちのブロードキャスト／マルチキャストサービスバースト信号に対するランダム位相回転処理には、次の３つの方式がある。
第１の方式は、ベースバンド信号形式のブロードキャスト／マルチキャストサービスバースト複合信号に
ｃｏｓ（θ）＋ｊ＊ｓｉｎ（θ）
複合信号を乗算する方式で、その中のθ位相回転因子は、０〜２πの間で均等に分布されている乱数又は擬似乱数である。同一発射機が複数の搬送波を利用するネットワークにおいては、各搬送波は、それぞれ同じ或いは同じでない位相回転因子を採用しても良い。
第２の方式は、中波信号形式のブロードキャスト／マルチキャストサービスバースト複合信号に
ｃｏｓ（θ）＋ｊ＊ｓｉｎ（θ）
複合信号を乗算する方式で、その中のθ位相回転因子は、０〜２πの間で均等に分布されている乱数又は擬似乱数である。同一発射機が複数の搬送波を利用するネットワークにおいては、各搬送波は、それぞれ同じ或いは同じでない位相回転因子を採用しても良い。
第３の方式は、ラジオ周波信号形式のブロードキャスト／マルチキャストサービスバースト複合信号に
ｃｏｓ（θ）＋ｊ＊ｓｉｎ（θ）
複合信号を乗算する方式で、その中のθ位相回転因子は、０〜２πの間で均等に分布されている乱数又は擬似乱数である。同一発射機が複数の搬送波を利用するネットワークにおいては、各搬送波は、それぞれ同じ或いは同じでない位相回転因子を採用しても良い。
【００３９】
その中で、前記ランダム位相の変化周期は１つ又は複数のサブフレームであっても良いし、或いは１つ又は複数のタイムスロットであっても良い。サブフレームを単位で変化する時に、トータルのサブフレーム信号に対して位相回転を行ってもよく、ＭＢＭＳタイムスロットにおける信号に対してのみ、或いはサービスタイムスロットにおける信号に対してのみ位相回転を行っても良い。
【００４０】
ＳＦＮ内の異なるセル又はセクタにランダム位相回転を導入する時に、同じ端末をサービングする複数のセル又はセクタに採用されたそれぞれの位相回転因子シーケンスは、互いに関連性を持たないことを確保する必要がある。
【００４１】
同じ端末をサービングする複数のセル又はセクタに採用された位相回転因子シーケンスに、互いに関連性を持たせないために、一定範囲以内のセル又はセクタの位相回転因子にそれぞれ異なるシーケンスを持たせること、或いは各セル又はセクタに位相の（シーケンス位相）の異なった同一位相回転因子シーケンスを採用させることを保証しなければならない。
【００４２】
ランダムシードで発生された位相回転因子シーケンスを利用する場合、シードの発生を時間とＮｏｄｅＢ標識に結合する方法で、近距離にある異なるセル又はセクタに同時刻にそれぞれ異なったシードを利用させることを確保しても良い。又、各セル又はセクタに対して、それぞれ異なった位相回転因子シーケンスを割り当てることができる。このシーケンスは、十分の長さを持った同一位相回転因子シーケンスであってもよく、一定の計画により、近距離にあるセル又はセクタに対して、それぞれ異なったシーケンスオフセットを割り当てる。更に又、確定された異なったシーケンス（例えば、スクランブルコード或いはミッドアンブル（ｍｉｄａｍｂｌｅ)コード等既にセル又はセクタに割り当てたシーケンスを借りて）を利用して割り当てても良い。
【００４３】
ＵＥは、ＲＮＣから割り当てられた時間周波数リソースにより、当該時間周波数リソースで、異なる基地局からのブロードキャスト／マルチキャストサービスバースト信号を受信し、前記割り当てられたミッドアンブル（ｍｉｄａｍｂｌｅ)コードを利用して、受信信号に対してチャネル推定を行い、複数のセル又はセクタがＵＥまでの全体チャネル条件を取得し、そのチャネル推定結果により、データの逆拡散を行い、指定されたスクランブルコードで、逆拡散されたデータをデスクランブルして、ブロードキャスト／マルチキャストサービスデータを取得するステップ２４と、
を含む。
【００４４】
本発明の実施例における上記方法を採用すれば、静止環境、低速環境及び同じ基地局アドレスを共有している隣接セクタの境界に多発している信号の快速減衰現象を有効的に回避でき、それらの環境でのブロードキャスト／マルチキャストサービスの伝送性能を大幅に向上できる。
【００４５】
本発明は又、実施例の上記方法に対応する単一周波数ネットワークにおけるマルチメディアブロードキャスト／マルチキャストサービスの伝送システムと基地局を提供した。
【００４６】
図３は、本発明の実施例における単一周波数ネットワークで、マルチメディアブロードキャスト／マルチキャストサービスを伝送するシステムの構成ブロック図である。主に、ネットワーク側から開始したブロードキャスト／マルチキャストサービスデータをターゲットセル又はセクタのＮｏｄｅＢに送信し、前記ブロードキャスト／マルチキャストサービスデータを伝送するために、前記セル又はセクタに対して、同一の時間周波数リソース、スクランブルコードとミッドアンブル（ｍｉｄａｍｂｌｅ)コードを割り当て、割り当てたリソース情報及びコードグループ情報をＮｏｄｅＢとＵＥに送信するＲＮＣと、
前記割り当てられたスクランブルコードを利用して、ＲＮＣから送信されたブロードキャスト／マルチキャストサービスデータに対して、スペクトラム拡散とスクランブル処理を行い、処理された後のデータと前記割り当てられたミッドアンブル（ｍｉｄａｍｂｌｅ）コードを利用して、ブロードキャスト／マルチキャストサービスバースト信号を構成し、当該ブロードキャスト／マルチキャストサービスバースト信号に対して、ランダム位相回転処理を行い、無線ネットワークコントローラから割り当てられた時間周波数リソースを利用して、処理で得られた信号をＵＥに送信するＮｏｄｅＢと、
前記時間周波数リソースで、異なるＮｏｄｅＢからのブロードキャスト／マルチキャストサービスバースト信号を受信し、前記割り当てられたスクランブルコードとミッドアンブル（ｍｉｄａｍｂｌｅ）コードを利用して、受信信号に対してチャネル推定、逆拡散及びデスクランブル処理を行い、ブロードキャスト／マルチキャストサービスデータを取得するＵＥと、
を含む。
【００４７】
本発明の実施例にかかる前記システムの具体的な動作過程について、本発明の上記方法の記述を参照することで、説明は省略する。
【００４８】
図４は本発明の実施例にかかる基地局の構成ブロック図である。主に、
前記割り当てられたスクランブルコードを利用して、無線ネットワークコントローラから送信されたブロードキャスト／マルチキャストサービスデータに対して、スペクトラム拡散とスクランブル処理を行い、処理で得られたデータと前記割り当てられたミッドアンブル（ｍｉｄａｍｂｌｅ）コードを利用してブロードキャスト／マルチキャストサービスバースト信号を形成するバースト形成モジュールと、
送信待ちのブロードキャスト／マルチキャストサービスバースト信号に対して、ランダム位相回転処理を行う位相処理モジュールと、
無線ネットワークコントローラより割り当てられた時間周波数リソースを利用して、処理で得られた信号を端末に送信する信号送信モジュールと、
を含む。
【００４９】
本発明の実施例にかかる前記基地局の具体的な動作過程について、本発明の実施例の上記方法の記述を参照することで、説明は省略する。
【００５０】
本明細書では上述した実施例を参照し本発明を詳しく解説したが、当業者により、上述した技術的な解決手段を改造し、またはその中の一部の技術要素を置換することもできる。そのような改造と置換は本発明の各実施例の技術の範囲から逸脱するとは見なされない。
【図１】
2010521900.tif 000003
【図２】
2010521900.tif 000004
【図４】
2010521900.tif 000005
【図３】
2010521900.tif 000006
【国際調査報告】
2010521900.tif 000007
2010521900.tif 000008
2010521900.tif 000009
2010521900.tif 000010